(57)【特許請求の範囲】
【請求項１】
既設管の所定箇所より挿入された光ケーブルを不断流状態で穿孔した穴部より取り出す光ケーブル取出し方法であって、
光ケーブル周囲の管内の流体の流れを遮断するケーブルシール弁ならびに開閉弁から成るケーブル取出し管装置を取付けたサドルを既設管に液密に装着する工程と、前記ケーブル取出し管装置の端部に穿孔工具を液密に装着し開弁された開閉弁およびケーブルシール弁を通して既設管を穿孔する工程と、穿孔後に前記穿孔工具を切片と共に引上げる工程と、前記開閉弁を閉弁した後、前記穿孔工具を取外し該穿孔工具に代えて管体内を昇降移動するケーブル把持機構を備えたケーブル取出し手段を液密に取付ける工程と、前記開閉弁を開弁した後、前記ケーブル取出し手段を管体内に挿入し、光ケーブルを捕捉可能な状態で待機させる待機工程と、既設管内の光ケーブルの一部が前記ケーブル取出し手段で捕捉可能な状態で該ケーブル取出し手段を引き上げる工程と、該ケーブル取出し手段を引き上げる過程で光ケーブルを前記ケーブルシール弁でクランプシールする工程と、光ケーブルをクランプシールした上でケーブル取出し手段を取り外す工程と、より成り、
前記ケーブル把持機構が帯状弾性体のクランプリングであり、前記待機工程は、該クランプリングの管体内への押し込み移動により弾性変形させ光ケーブルを前記捕捉可能な状態で待機させると共に、前記ケーブル取出し手段を引き上げる工程は、該クランプリングの引き上げ動作により捕捉可能な状態に弾性変形されたクランプリングが復元され、該クランプリングに光ケーブルの一部を弾力的に挟持することにより行なうことを特徴とする既設管内の光ケーブル取出し方法。
【請求項２】
前記待機工程が、前記クランプリングの端部を既設管内底部に当接させた後、さらに前記クランプリングの押込み移動により前記既設管の内径に倣って円形に弾性変形させることを特徴とする請求項１に記載の既設管内の光ケーブル取出し方法。
【請求項３】
既設管の所定箇所より挿入された光ケーブルを不断流状態で穿孔した穴部より取り出す光ケーブル取出し装置であって、
既設管の所定箇所に取付けたサドルに取り付けられ、管体内から引き上げられた光ケーブル周囲の流体の流れを遮断するケーブルシール弁並びに開閉弁を有するケーブル取出し管装置と、該ケーブル取出し管装置の端部に液密に取付けられ前記既設管を不断流状態で穿孔する穿孔装置と、該穿孔装置に代えて開閉弁の上部に液密に取付けるべく管体内を昇降移動するケーブル把持機構を備えたケーブル取出し手段と、で構成され、
該ケーブル取出し手段は、他端が閉塞された所定長さの筒体と、該筒体内に摺動可能に嵌挿され前記筒体の他端を液密に挿通した支持軸と、前記支持軸に連結し該支持軸を昇降移動する昇降機構と、前記支持軸に一端が固定された帯状弾性体のクランプリングから成る前記ケーブル把持機構と、で構成されていることを特徴とする既設管内の光ケーブル取出し装置。
【請求項４】
前記ケーブルシール弁は、光ケーブルを挿通する管体に直交するよう該管体の両側に一対の弁体を進退移動可能に対向配設し、該弁体の対向する部分に、前記光ケーブルと同断面形状の切り欠き部を形成した弾性体が装着されていることを特徴とする請求項３に記載の既設管内の光ケーブル取出し装置。
【請求項５】
前記ケーブルシール弁は、光ケーブルを挿通する管体に直交するよう該管体の両側に一対の弁体を進退移動可能に対向配設し、該弁体の対向面に、前記光ケーブルと同断面形状の切り欠き部を形成すると共に、該切り欠き部の周りには、該切り欠き部に収束するような弁体の厚み方向に交互に重なるとともに、該切り欠き部に収束するような突出部が形成されていることを特徴とする請求項４に記載の既設管内の光ケーブル取出し装置。
【発明の詳細な説明】
【０００１】
【発明の属する技術分野】
本発明は、既設管内に挿入された光ケーブルを該既設管に不断水状態で穿孔した穴部より取り出す既設管内の光ケーブル取出し方法および装置に関する。
【０００２】
【従来の技術】
近年、光通信システムがマルチメディアの構築により医療、保健、福祉等の公的分野でも地域住民に対するサービスを行う通信網として普及しつつある。
【０００３】
この通信網を設置するに際し、光通信システムに使用される多数の光ファイバーを束にして収納した光ケーブルは、末端である各家庭にまで配線することが要求され、これらの配線は、環境上の観点から地上よりも地下に埋設配線されるようになっている。
【０００４】
しかしながら、光ケーブルの埋設のための公道部分での地下掘削作業はいたずらに交通渋滞を引起こし、また他の電線や配管等のライフラインとの干渉を回避させるためにも注意深く作業を行う必要があり、掘削工事費用が嵩む等の問題を有していた。
【０００５】
そこで、発明者等は既に埋設されて高い普及率（９５％）を持ち各家庭やオフィスなど隅々まで行き渡っている既設管としての水道管路網を利用することが上記問題を解決する最良の手段であることを見出した。
【０００６】
【発明が解決しようとする課題】
このように既設の水道管を利用すると、光ケーブルを埋設するための長い掘削作業は不要となるが、少なくとも既設の水道管に光ケーブルを挿入する部分および出口部分の地面にはそれぞれ穴を掘削する作業が必要となる。
【０００７】
そして、上記した既設の水道管に光ケーブルを挿入若しくは取出すための穴を穿設するには、先ず水道管内の水の流れを遮断した上で作業を行なわなければならない。
【０００８】
このため、所定の地域に断水区域が設定され、工場、家庭およびオフィス等への水の供給が中断されることになり需要者には不都合が強いられる。よって、既設の水道管内に挿入された光ケーブルを水道管の途中から不断水状態で外部に取り出す工法及びその装置が求められることになる。
【０００９】
本発明は、上記問題点を解決するためになされたもので、既設管内に挿入された光ケーブルを該既設管内部より不断水状態で容易に外部へ取り出すことができる既設管内の光ケーブル取出し方法および装置を提供することを目的とする。
【００１０】
【課題を解決するための手段】
本発明の既設管内の光ケーブル取出し方法は、既設管の所定箇所より挿入された光ケーブルを不断流状態で穿孔した穴部より取り出す光ケーブル取出し方法であって、
光ケーブル周囲の管内の流体の流れを遮断するケーブルシール弁ならびに開閉弁から成るケーブル取出し管装置を取付けたサドルを既設管に液密に装着する工程と、前記ケーブル取出し管装置の端部に穿孔工具を液密に装着し開弁された開閉弁およびケーブルシール弁を通して既設管を穿孔する工程と、穿孔後に前記穿孔工具を切片と共に引上げる工程と、前記開閉弁を閉弁した後、前記穿孔工具を取外し該穿孔工具に代えて管体内を昇降移動するケーブル把持機構を備えたケーブル取出し手段を液密に取付ける工程と、前記開閉弁を開弁した後、前記ケーブル取出し手段を管体内に挿入し、光ケーブルを捕捉可能な状態で待機させる待機工程と、既設管内の光ケーブルの一部が前記ケーブル取出し手段で捕捉可能な状態で該ケーブル取出し手段を引き上げる工程と、該ケーブル取出し手段を引き上げる過程で光ケーブルを前記ケーブルシール弁でクランプシールする工程と、光ケーブルをクランプシールした上でケーブル取出し手段を取り外す工程と、より成り、
前記ケーブル把持機構が帯状弾性体のクランプリングであり、前記待機工程は、該クランプリングの管体内への押し込み移動により弾性変形させ光ケーブルを前記捕捉可能な状態で待機させると共に、前記ケーブル取出し手段を引き上げる工程は、該クランプリングの引き上げ動作により捕捉可能な状態に弾性変形されたクランプリングが復元され、該クランプリングに光ケーブルの一部を弾力的に挟持することにより行なうことを特徴としている。
この特徴により、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの引き上げ動作に基づくクランプリングの変形で挿通した光ケーブルが弾力的に挟持されるので、挟持された光ケーブルは穿孔された既設管の穴を通して容易に外部へ取り出すことができる。
【００１１】
本発明の既設管内の光ケーブル取出し方法は、前記待機工程が、前記クランプリングの端部を既設管内底部に当接させた後、さらに前記クランプリングの押込み移動により前記既設管の内径に倣って円形に弾性変形させることを特徴としている。
この特徴により、クランプリングを押込み移動させるだけで、クランプリングが既設管の内径に倣って円形に弾性変形して開放されるので、既設の水道管内を不特定の位置を移動する光ケーブルを確実に捕えることができる。
【００１３】
本発明の既設管内の光ケーブル取出し装置は、既設管の所定箇所より挿入された光ケーブルを不断流状態で穿孔した穴部より取り出す光ケーブル取出し装置であって、
既設管の所定箇所に取付けたサドルに取り付けられ、管体内から引き上げられた光ケーブル周囲の流体の流れを遮断するケーブルシール弁並びに開閉弁を有するケーブル取出し管装置と、該ケーブル取出し管装置の端部に液密に取付けられ前記既設管を不断流状態で穿孔する穿孔装置と、該穿孔装置に代えて開閉弁の上部に液密に取付けるべく管体内を昇降移動するケーブル把持機構を備えたケーブル取出し手段と、で構成され、
該ケーブル取出し手段は、他端が閉塞された所定長さの筒体と、該筒体内に摺動可能に嵌挿され前記筒体の他端を液密に挿通した支持軸と、前記支持軸に連結し該支持軸を昇降移動する昇降機構と、前記支持軸に一端が固定された帯状弾性体のクランプリングから成る前記ケーブル把持機構と、で構成されていることを特徴としている。
この特徴により、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの下降動作で先端が既設管の内の底部に押圧される動作のみで簡単に開放され、開放されたクランプリング内に光ケーブルが挿通した段階でクランプリングを引き上げる動作のみで光ケーブルを挟持し、外部に流体を漏出させることなく容易に引き上げることができる。
【００１５】
本発明の既設管内の光ケーブル取出し装置は、前記ケーブルシール弁は、光ケーブルを挿通する管体に直交するよう該管体の両側に一対の弁体を進退移動可能に対向配設し、該弁体の対向する部分に、前記光ケーブルと同断面形状の切り欠き部を形成した弾性体が装着されていることを特徴としている。
この特徴により、一対の弁体対向面が互いに接触した際、光ケーブルを挿通した状態で管体内の流体の流れを確実に遮断することができる。
【００１６】
本発明の既設管内の光ケーブル取出し装置は、前記ケーブルシール弁が、光ケーブルを挿通する管体に直交するよう該管体の両側に一対の弁体を進退移動可能に対向配設し、該弁体の対向面に、前記光ケーブルと同断面形状の切り欠き部を形成すると共に、該切り欠き部の周りには、該切り欠き部に収束するような弁体の厚み方向に交互に重なるとともに、該切り欠き部に収束するような突出部が形成されていることを特徴としている。
この特徴により、管体内を通して引き上げられる光ケーブルの位置にバラツキが生じても光ケーブルを弁体の半円弧切り欠き部に求心することができ、光ケーブルを挿通シールさせた状態で管体内の流体の流れを遮断することができる。
【００１７】
【発明の実施の形態】
以下、実施の形態を挙げ図面に基づいて本発明を説明する。
【００１８】
先ず、本発明の既設管内の光ケーブル取出し装置の実施形態につき説明する。図１は、既設管に光ケーブル取出し装置を取付けた状態を示す部分断面を示す全体図である。
【００１９】
なお、本実施形態では開閉弁として分岐弁を使用した例につき説明する。
【００２０】
図１において、１は既設の水道管を示し、該水道管１の仕切弁２の近傍にサドル３を介してケーブル取出し管装置４が取付けられる。
【００２１】
このケーブル取出し管装置４は、例えば水道管１側に光ケーブルを挿通させた状態で管内の流体の流れを遮断するケーブルシール弁６と、その上部に液密に取付けられる開閉弁５とで構成されている。尚、前述したケーブルシール弁６と開閉弁５の上下位置関係が逆に取付けられても良い。
【００２２】
そして、図２に示すように開閉弁としての分岐弁５の上端には穿孔装置Ｄが液密に取付けられ、該穿孔装置ＤのカッターＣを下降移動させることにより開放された分岐弁５、ケーブルシール弁６を通過して既設水道管１の側面に貫通穴Ｈを穿孔することができる。
【００２３】
貫通穴Ｈを穿孔したカッターＣが水道管１の切片ＣＲと共に上昇端まで移動すると、分岐弁５が閉塞され、続いて穿孔装置Ｄが分岐弁５の先端から取り外され、この穿孔装置Ｄに代えて図４および図５に示すケーブル取出し手段７が取付けられ、該ケーブル取出し手段７内に設けられたケーブル把持機構としてのクランプリング１３が昇降移動可能になっている。また水道管１内に挿入されて開放状態のクランプリング１３内に光ケーブル１４の先端が挿通したことを検出する検出手段が、光ケーブル１４の先端および水道管１の外壁に取付けられる。
【００２４】
ここで発信器は、高周波発信器、超音波発信器または磁性体等が考えられる。ケーブル取出し手段７は、分岐弁５の先端に一端が液密に螺着され他端がキャップ８により液密に閉塞された筒体９と、該筒体９内に摺動可能に嵌挿されキャップ８を回転不能な状態で液密に挿通した支持軸１０に接続されたホルダ１１と、支持軸１０に連結され該支持軸１０を昇降移動する昇降機構１２と、ホルダ１１に互いに直線状に重ね合せた状態で一端が固定され他端が接続された一対の帯状弾性体１３ａ、１３ｂから成る把持機構としてのクランプリング１３とで構成されている。
【００２５】
このように構成されたケーブル取出し手段７は、昇降機構１２を手動操作することにより図５に示す最上位置から図６に示す最下位置まで昇降移動させることができる。
【００２６】
ケーブル取出し手段７が最下位置にあるときは、一対の帯状弾性体であるクランプリング１３は、図６に示すように既設の水道管１内で円形に弾性変形して開放された状態となっている。
【００２７】
次に検出手段として、光ケーブル１４の先端に発信器１５が装着され、ケーブル取出し管装置４近傍の水道管１外壁には受信器１６が取付けられている。
【００２８】
そこで、既設の水道管１の所定箇所から挿入されて移動してきた光ケーブル１４の先端が水道管１内で開放状態となっている帯状弾性体１３ａ、１３ｂから成るクランプリング１３内を通過すると間もなく発信器１５からの信号が受信器１６により受信される。
【００２９】
受信器１６により受信が確認さた時点でクランプリング１３を昇降機構１２の手動操作により引き上げると、このクランプリング１３が直線状に復元される動作で光ケーブル１４の先端が弾力的に挟持され、図７の（ａ）に示すように管体内を上昇移動する。
【００３０】
光ケーブル１４が上昇移動してケーブルシール弁６を通過するとケーブルシール弁６が閉弁され、光ケーブル１４を挿通シールさせた状態で管体Ｐ内の流体の流れを遮断することができる。
【００３１】
ここでクランプリング１３は、図７の（ａ）に示されるように一対の帯状弾性体１３ａ、１３ｂがバネ鋼板で帯状に形成され、長手方向中央に山形のリブＲ１、Ｒ２が湾曲形成されていて図７（ｂ）の断面に示される接合面に空間が形成されるように互いに直線状に重ね合せた状態で一端がホルダ１１にピン１７を介して枢支され他端が接合されている。なお、クランプリング１３は一体のものでもよい。
【００３２】
次に、ケーブルシール弁６は、図７の（ａ）に示されるように、光ケーブル１４を挿通下降する管体Ｐに直交するよう該管体Ｐの両側に一対の板状弁体１８ａ、１８ｂを進退移動可能に対向配設され、該弁体１８ａ、１８ｂの対向する平面に、中央に夫々光ケーブル１４直径の半円弧切り欠き部１９ａ、１９ｂを形成した弾性体（例えば硬質ゴム）２０ａ、２０ｂを装着して構成される。
【００３３】
また、図８はケーブルシール弁の他の実施形態を示し、このケーブルシール弁２１は、光ケーブル１４を挿通下降する管体Ｐに直交するよう該管体Ｐの両側に一対の板状の弁体２２ａ、２２ｂを進退移動可能に対向配設し、該弁体２２ａ、２２ｂの対向面に、中央に夫々光ケーブル直径の半円弧切り欠き部２３ａ、２３ｂを形成すると共に、該半円弧切り欠き部２３ａ、２３ｂを底部とするＶ字状の凹部２４ａ、２４ｂを形成して該凹部２４ａ、２４ｂが対向する弁体の厚み方向に交互に形成され、弁体２２ａ、２２ｂの閉塞移動で対向する半円弧切り欠き部２３ａ、２３ｂどうしが接触した際、前記凹部２４ａ、２４ｂによって形成される対向側の両突出部２５ａ、２５ｂおよび２６ａ、２６ｂが挿嵌可能な段付部２７ａ、２７ｂおよび２８ａ、２８ｂが厚み方向に交互に形成されている。
【００３４】
尚、本実施形態では、凹部２４ａ、２４ｂがＶ字形に形成されているが、Ｖ字形に限らずＵ字形でも良く、光ケーブル１４が案内されて底部とする半円弧切り欠き部２３ａ、２３ｂに求心されるような形状であれば良い。
【００３５】
このように構成された本発明の既設管内の光ケーブル取出し装置の作用につき説明する。
【００３６】
既設の水道管１内に所定箇所から挿入された光ケーブル１４を取り出すに際し、図１、図２に示すように仕切弁２近傍の水道管１に、サドル３を介してケーブルシール弁６並びに分岐弁５を有するケーブル取出し管装置４が液密に取付けられ、この分岐弁５の先端には既設の水道管１に貫通穴Ｈを穿設するために、穿孔装置Ｄが液密に取付けられる。
【００３７】
そこで、図３に示すように穿孔装置ＤのカッターＣが管体Ｐ内を下降して水道管１の側面に貫通穴Ｈが穿設されると、カッターＣは水道管１の切片ＣＲと共に引き上げられる。
【００３８】
次に、図４、図５に示すように穿孔装置Ｄに代えてケーブル取出し手段７が分岐弁５の先端に液密に取付けられる。
【００３９】
ケーブル取出し手段７のクランプリング１３が、昇降機構１２を介して管体Ｐ内を下降移動して貫通穴Ｈを通過してクランプリング１３の先端が水道管１の内壁底部に当接する。さらにクランプリング１３が押圧されると、図６に示すように一対の帯状弾性体１３ａ、１３ｂが弾性変形し水道管１に倣って開放される。
【００４０】
水道管１内を移動してきた光ケーブル１４先端が、開放状態のクランプリング１３内を通過すると、光ケーブル１４先端の発信器１５から発信される信号が受信器１６で受信されることで、光ケーブル１４先端の位置がクランプ可能な状態として確認される。
【００４１】
このように、開放状態のクランプリング内に光ケーブルの先端が挿通したことを検出手段により検出されるようにしたので、既設管内を移動する光ケーブルを確実に捕捉することができる。
【００４２】
そこで、図７の（ａ）に示されるようにクランプリング１３が引き上げられると、この引き上げ動作で一対の帯状弾性体１３ａ、１３ｂが直線状に復元されて光ケーブル１４が弾力的に挟持され、光ケーブル１４はクランプリング１３と共に所定位置まで引き出される。
【００４３】
このように、クランプリングの下降動作で先端が既設管の内の底部に押圧される動作のみで簡単に開放することができ、また開放されたクランプリングは、引き上げられる動作のみで弾力的に直線状に復元する動作で光ケーブルを挟持することができ、光ケーブルを単純な動作で容易に引き上げることができる。
【００４４】
次に、引き上げられた光ケーブル１４は、ケーブルシール弁６の弁体１８ａ、１８ｂによりシールされる。これにより光ケーブル１４を挿通シールさせた状態で管体Ｐ内の流体の流れを確実に遮断することができる。
【００４５】
ここで、図８に示すケーブルシール弁の他の実施形態では、管体Ｐの両側に配設された弁体２２ａ、２２ｂが管体Ｐの中心に向けて移動すると、光ケーブル１４はＶ字形の凹部２４ａ、２４ｂに案内されて中央の半円弧切り欠き部２３ａ、２３ｂに嵌合され、光ケーブル１４を挿通シールさせた状態で管体Ｐ内の流体の流れが遮断される。
【００４６】
これにより、管内Ｐを通して引き上げられる光ケーブル１４の位置にバラツキが生じても光ケーブル１４を弁体２２ａ、２２ｂの半円弧切り欠き部２３ａ、２３ｂに確実に求心させることができる。
【００４７】
このように既設の水道管内の流体の流れが遮断された状態で、光ケーブル取出し手段７が分岐弁５から取り外されると、分岐弁５の接続口から突出されている光ケーブル１４に別の光ケーブル１４を接続し、さらに延長させて再び既設の水道管内に公知の手段で挿入することができる。
【００４８】
次に、本発明の既設管内の光ケーブル取出し方法の実施形態である光ケーブルの取出し工程につき図１〜図６および図９を基に説明する。
【００４９】
先ず、図１に示すように最初の工程では、ケーブルシール弁６ならびに分岐弁５を取付けたサドル３を既設管１に液密に装着する。
【００５０】
次の工程では、図２および図３に示すように分岐弁５の端部に穿孔装置Ｄを液密に装着し、開弁された分岐弁５およびケーブルシール弁６を通して穿孔装置ＤのカッターＣにより既設管１に貫通穴Ｈを穿孔し、穿孔後にカッターＣを切片ＣＲと共に引上げる。
【００５１】
更に次の工程では、図４および図５に示すようにカッターＣを分岐弁５の上部まで引上げた後該分岐弁５を閉弁する。その上で穿孔装置Ｄを取外し該穿孔装置Ｄに代えてケーブル取出し手段７の筒体９を液密に取付ける。
【００５２】
次の工程でケーブルシール弁５を開弁した後、取出し手段７のクランプリング１３を管体Ｐ内を押し下げ水道管１内に挿入してクランプリング１３の先端を水道管１の底部内壁に当接させ、さらにクランプリング１３を押し下げることにより水道管１の内壁に倣って円形に弾性変形して開放される。
【００５３】
次に、図６に示すように水道管１内を移動する光ケーブル１４が開放状態のクランプリング１３内を通過した際、該光ケーブル１４の先端に取付けられている発信器１５からの信号を受信器１６により受信することで光ケーブル１４先端の位置が確認され、ここでクランプリング１３を引き上げる。
【００５４】
このクランプリング１３を引き上げる際に、帯状弾性体１３が直線状に復元される動作で光ケーブル１４の先端が弾力的に挟持され、この状態で図７の（ａ）に示すように管体内を通して光ケーブル１４を引き上げる工程が実行される。
【００５５】
次の工程では、図７の（ａ）に示すように光ケーブル１４が所定位置まで引き上げられると、光ケーブル１４の途中がケーブルシール弁６でクランプシールされ、光ケーブル１４が液密に挿通された状態で管体Ｐ内の流体の流れが遮断される。
【００５６】
そこで図９に示されるように、次の工程において管体Ｐがケーブルシール弁６で遮断されると、ケーブル取出し手段７が分岐弁５から取り外される。
【００５７】
このようにして、既設管内の光ケーブル取出し方法の一連の工程が完了し、既設の水道管内の光ケーブル１４を地上に取り出すことができる。
【００５８】
【発明の効果】
本発明は次の効果を奏する。
【００５９】
（ａ）請求項１の発明によれば、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの引き上げ動作に基づくクランプリングの変形で挿通した光ケーブルが弾力的に挟持されるので、挟持された光ケーブルは穿孔された既設管の穴を通して容易に外部へ取り出すことができる。
【００６０】
（ｂ）請求項２の発明によれば、クランプリングを押込み移動させるだけで、クランプリングが既設管の内径に倣って円形に弾性変形して開放されるので、既設の水道管内を不特定の位置を移動する光ケーブルを確実に捕えることができる。
【００６２】
（ｃ）請求項３の発明によれば、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの下降動作で先端が既設管の内の底部に押圧される動作のみで簡単に開放され、開放されたクランプリング内に光ケーブルが挿通した段階でクランプリングを引き上げる動作のみで光ケーブルを挟持し、外部に流体を漏出させることなく容易に引き上げることができる。
【００６４】
（ｄ）請求項４の発明によれば、一対の弁体対向面が互いに接触した際、光ケーブルを挿通した状態で管体内の流体の流れを確実に遮断することができる。
【００６５】
（ｅ）請求項５の発明によれば、管体内を通して引き上げられる光ケーブルの位置にバラツキが生じても光ケーブルを弁体の半円弧切り欠き部に求心することができ、光ケーブルを挿通シールさせた状態で管体内の流体の流れを遮断することができる。
【００６６】
【図面の簡単な説明】
【図１】本発明の一実施形態である既設管に光ケーブル取出し装置を取付けた状態を示す部分断面図である。
【図２】既設管にサドルを介して取付けられたケーブルシール弁、開閉弁に穿孔装置を取付ける状態を示す工程図である。
【図３】既設管にサドルを介して取付けられたケーブルシール弁、開閉弁に穿孔装置を取付けた状態を示す工程図である。
【図４】既設管にサドルを介して取付けられたケーブルシール弁、開閉弁に穿孔装置に代えてケーブル取出し手段を取付ける状態を示す工程図である。
【図５】既設管にサドルを介して取付けられたケーブルシール弁、開閉弁に穿孔装置に代えてケーブル取出し手段を取付けた状態を示す工程図である。
【図６】クランプリングが既設管内で開放される状態を示す説明図である。
【図７】（ａ）は、クランプリングにより引き上げられた光ケーブルがケーブルシール弁によりシールされる状態を示す斜視図であり、（ｂ）は（ａ）のＡ−Ａ断面図である。
【図８】他の実施形態を示すケーブルシール弁の斜視図である。
【図９】クランプリングにより引き上げられた光ケーブルがケーブルシール弁によりシールされている状態を示す工程図である。
【符号の説明】
１            水道管（既設管）
２            仕切弁
３            サドル
４            ケーブル取出し管装置
５            分岐弁（開閉弁）
６            ケーブルシール弁
７            ケーブル取出し手段
８            キャップ
９            筒体
１０            支持軸
１１            ホルダ
１２            昇降機構
１３            クランプリング（ケーブル把持機構）
１３ａ、１３ｂ  帯状弾性体
１４            光ケーブル
１５            発信器
１６            受信器
１７            ピン
１８ａ、１８ｂ  板状弁体
１９ａ、１９ｂ  半円弧切り欠き部
２０ａ、２０ｂ  弾性体
２１            ケーブルシール弁
２２ａ、２２ｂ  弁体
２３ａ、２３ｂ  半円弧切り欠き部
２４ａ、２４ｂ  凹部
２５ａ、２５ｂ  突出部
２６ａ、２６ｂ  突出部
２７ａ、２７ｂ  段付部
２８ａ、２８ｂ  段付部
Ｃ              カッター
Ｄ              穿孔装置
Ｈ              貫通穴
【図１】
0003766148.tif 000002
【図２】
0003766148.tif 000003
【図３】
0003766148.tif 000004
【図４】
0003766148.tif 000005
【図５】
0003766148.tif 000006
【図６】
0003766148.tif 000007
【図７】
0003766148.tif 000008
【図８】
0003766148.tif 000009
【図９】
0003766148.tif 000010